(57)【要約】【課題】全ての内容器の内容物を使いきるまで内容物の吐出をスムーズに行い得る分包容器を提供する。【解決手段】分包容器１０は、各々内容物を収容する複数の内容器２０と、該複数の内容器２０を積み重ねた状態でまとめて収容する外容器３０とを備える。内容器２０は、内容物を排出する吐出孔２２ａが形成された頂部２２と、該頂部２２に剥離可能に設けられ吐出孔２２ａを密封するシール材２３とを有する。外容器３０は、積み重ねられた複数の内容器を取り囲む本体４０と、該本体４０の上部に着脱自在に装着された蓋体５０であって、その取り外しにより使用済みの内容器２０の、本体４０の上部からの取り出しが可能となる蓋体５０とを有する。蓋体５０は、その開放により最上段に位置する内容器２０の頂部２２を露出させシール材２３の剥離、除去を可能とする開閉蓋５３を有する。【選択図】図１
2020033082.tif 000002
【特許請求の範囲】
【請求項１】
各々内容物を収容する複数の内容器と、該複数の内容器を積み重ねた状態でまとめて収容する外容器とを備える分包容器であって、
前記内容器は、内容物を排出する吐出孔が形成された頂部と、該頂部に剥離可能に設けられ前記吐出孔を密封するシール材とを有し、
前記外容器は、積み重ねられた前記複数の内容器を取り囲む本体と、該本体の上部に着脱自在に装着された蓋体であって、その取り外しにより使用済みの内容器の、前記上部からの取り出しが可能となる蓋体とを有し、
前記蓋体は、その開放により最上段に位置する内容器の前記頂部を露出させ前記シール材の剥離、除去を可能とする開閉蓋を有することを特徴とする分包容器。
【請求項２】
前記蓋体は、最上段に位置する内容器の側面に係止して該内容器の脱落を防止する係止部を有することを特徴とする、請求項１に記載の分包容器。
【請求項３】
前記外容器は、前記本体の下部を開閉可能に閉塞する底蓋であって、該底蓋を開放することで、前記上部から取り出した前記使用済みの内容器の、前記本体内への再挿入を可能とする底蓋を有することを特徴とする、請求項１または２に記載の分包容器。
【請求項４】
前記本体は、前記複数の内容器の積み重ね方向で圧潰変形を促す蛇腹構造を有することを特徴する、請求項１または２に記載の分包容器。
【発明の詳細な説明】
【技術分野】
【０００１】
本発明は、各々内容物を収容する複数の内容器と、該複数の内容器を積み重ねた状態でまとめて収容する外容器とを備え、内容物を少量ずつ使用するのに適した分包容器に関する。
【背景技術】
【０００２】
この種の分包容器として、特許文献１には、一端部に開口を有する筒状の親容器内に複数個の密閉蓋付の子容器を連ねて収容し、最上段の子容器の内容物を使い終わった場合には、下側の子容器と入れ替え、新しい子容器を開封して使用するものが提案されている。
【先行技術文献】
【特許文献】
【０００３】
【特許文献１】特開２００８−７４４４２号公報
【発明の概要】
【発明が解決しようとする課題】
【０００４】
しかしながら、特許文献１の分包容器では、子容器の内容物を吐出する際に吐出量を調整する吐出孔が親容器に設けられ、子容器を入れ替えても親容器の吐出孔は変更されずに継続的に使用されるため、内容物が湿気等に起因して親容器の吐出孔に堆積もしくは固着して目詰まりの原因になるという不具合がある。
【０００５】
本発明の目的は、吐出孔の目詰まりを防止して全ての内容器の内容物を使いきるまで内容物の吐出をスムーズに行い得る分包容器を提供することにある。
【課題を解決するための手段】
【０００６】
本発明は、各々内容物を収容する複数の内容器と、該複数の内容器を積み重ねた状態でまとめて収容する外容器とを備える分包容器であって、前記内容器は、内容物を排出する吐出孔が形成された頂部と、該頂部に剥離可能に設けられ前記吐出孔を密封するシール材とを有し、前記外容器は、積み重ねられた前記複数の内容器を取り囲む本体と、該本体の上部に着脱自在に装着された蓋体であって、その取り外しにより使用済みの内容器の、前記上部からの取り出しが可能となる蓋体とを有し、前記蓋体は、その開放により最上段に位置する内容器の前記頂部を露出させ前記シール材の剥離、除去を可能とする開閉蓋を有する。
【０００７】
本発明の有利な態様では、前記蓋体は、最上段に位置する内容器の側面に係止して該内容器の脱落を防止する係止部を有する。
【０００８】
本発明の有利な態様では、前記外容器は、前記本体の下部を開閉可能に閉塞する底蓋であって、該底蓋を開放することで、前記上部から取り出した前記使用済みの内容器の、前記本体内への再挿入を可能とする底蓋を有する。
【０００９】
本発明の有利な態様では、前記本体は、前記複数の内容器の積み重ね方向で圧潰変形を促す蛇腹構造を有する。
【発明の効果】
【００１０】
本発明によれば、蓋体の開閉蓋を開放し、最上段の内容器の頂部に貼り付けられたシール材を剥離、除去して吐出孔を開放することで内容器を開封する構成であり、内容器を入れ替える度に新しい吐出孔が出現するので、吐出孔への内容物の堆積や固着を防止して、内容物をスムーズに吐出させることができる。
【図面の簡単な説明】
【００１１】
【図１】本発明の一実施形態の分包容器を示す断面図である。
【図２】図１の分包容器における内容器の一つを示し、（ａ）は平面図であり、（ｂ）は断面図である。
【図３】内容器の変形例を示し、（ａ）は平面図であり、（ｂ）は断面図である。
【図４】図１の分包容器の使用状態を示す断面図である。
【図５】図１の分包容器において、使用済みの内容器を入れ替える手順を示す図である。
【図６】本発明の他の実施形態の分包容器を示す断面図である。
【図７】図６の分包容器において使用済みの内容器を取り外した後に外容器を圧潰した様子を示す断面図である。
【発明を実施するための形態】
【００１２】
以下、本発明の実施の形態を図面に基づき詳細に説明する。
【００１３】
図１に示すように、分包容器１０は、少量ずつ使用する例えば粉チーズや粉末洗剤など固化し易い粉体や顆粒状の内容物を収容するのに適しているが、内容物はこれらに限定されない。
【００１４】
分包容器１０は、主として、各々内容物を収容する複数（図示例では３つ）の内容器２０と、複数の内容器２０を積み重ねた状態、つまり軸線方向Ｏで整列した状態でまとめて収容する外容器３０とを備えている。内容器２０および外容器３０は、それぞれ合成樹脂製である。
【００１５】
図１および図２に示すように、内容器２０は、筒状の側壁２１と、側壁２１の上端を閉塞する頂部２２とを有し、頂部２２には、複数の吐出孔２２ａが形成されている。側壁２１の断面形状は、内側に内容物の収容空間を区画できれば円形に限らず、矩形や多角形等の他の形状でもよい。頂部２２には、例えばフィルム状のシール材２３が溶着もしくは接着により剥離可能に貼り付けられ、吐出孔２２ａは密封されている。
【００１６】
側壁２１の下端開口はフィルム状の底シール材２４で密封されている。底シール材２４は、側壁２１の下端開口端面に溶着もしくは接着により貼り付けられている。内容物は、底シール材２４を貼り付ける前に、上向きとした該下端開口を通じて充填することができる。
【００１７】
側壁２１の下端外面には、外容器３０との接触抵抗を減らしつつ位置決めする鍔部２５が形成されている。また、側壁２１の高さ方向略中央位置には、径を小さくする段部２６が形成されている。側壁２１の、段部２６から上の部分は、縮径しながら上方に延出する円錐形に形成されている。
【００１８】
図３に内容器２０の変形例を示す。図３に示す内容器２０は、頂部２２およびシール材２３が２層フィルム（剥離フィルム）の形態で実現されたものである。頂部２２としての下層フィルム２２’には、複数の吐出孔２２ａ’が形成され、その上に剥離可能にシール材２３としての上層フィルム２３’が積層されている。これらの２層フィルムは、側壁２１の上端開口を介した内容物の充填後に側壁２１の上端面（上端開口）に溶着もしくは接着により貼り付けることができる。
【００１９】
図１に戻り、外容器３０は、積み重ねられた複数の内容器２０を取り囲む筒状の本体４０と、該本体４０の上部に着脱自在に装着された蓋体５０と、本体４０の下部に設けられた底蓋６０とを有する。
【００２０】
図示例では、本体４０の断面形状は円形であるが、内側に内容器２０の収容空間を区画できれば円形に限らず、矩形や多角形等の他の形状でもよい。本体４０の上部外面には、蓋体５０を保持するための雄ネジ４１が形成されている。図示例では、雄ネジ４１は２条ネジで構成されるが、蓋体５０を本体４０に着脱自在に装着できれば、１条ネジや３条ネジ以上の多条ネジのほか、アンダーカット嵌合やバヨネット式嵌合など他の接続構造を採用してもよい。
【００２１】
本体４０の下部外面にも、底蓋６０を保持するための雄ネジ４２が形成されている。本体４０の外面には、使用者が把持し易いように高さ方向中央に向けて径が漸減した僅かな括れが形成されているが、外面はフラットでも、高さ方向中央が膨らんだ樽状でもよい。
【００２２】
蓋体５０は、本体４０の上部に保持される筒状の基部５１と、該基部５１にヒンジ５２を介して開閉自在に支持された開閉蓋５３とを有する。基部５１は、開閉蓋５３の開放時に最上段の内容器２０の頂部２２の好ましくは全体を露出させる開口５４を有する。開閉蓋５３をヒンジ５２を基点に開放することで内容器２０の頂部２２全体が開口５４から露出し、該頂部２２に貼り付けられたシール材２３を剥離、除去することが可能になる。なお、開口５４の幅は、シール材２３の剥離、除去が可能でかつ吐出孔２２ａと干渉しない大きさであれば頂部２２の一部のみを露出させる大きさでも構わない。
【００２３】
開閉蓋５３の下面には、内容器２０へ向けて下垂し該内容器２０の側壁２１上端を封止する封止リング５５が形成されている。また、封止リング５５の内側には、流通時等の衝撃や荷重負荷等に起因した開閉蓋５３の過度な変形を規制する例えば環状の突起５６が形成されている。
【００２４】
開閉蓋５３の、ヒンジ５２側の背面部には、開閉蓋５３の開放時に基部５１の背面に形成された保持突起５７が嵌入されて該開放姿勢を保持する凹部５８が形成されている。また、開閉蓋５３の、ヒンジ５２とは反対側の正面部には指掛け部５９が形成されている。
【００２５】
蓋体５０の基部５１は、内面に本体４０の上部に形成された雄ネジ４１と螺合する雌ネジ５１ａが形成された下側周壁５１Ａと、下側周壁５１Ａの上端から外容器３０の本体４０の上端面に沿って径方向内側に延びる連結壁５１Ｂと、連結壁５１Ｂの径方向内端から軸線方向Ｏに沿って上方に延出し、最上段の内容器２０の、本体４０から突出した上部分を取り囲んで、該内容器２０の頂部２２を露出させる上記開口５４を区画する上側周壁５１Ｃとを有する。連結壁５１Ｂは、軸線方向Ｏで見て最上段の内容器２０の上記段部２６とオーバーラップする位置まで径方向内側に延出して係止部を構成する。つまり、連結壁５１Ｂの下面が最上段の内容器２０の側面（側壁２１）に形成された上記段部２６に係止して開口５４からの内容器２０の脱落は防止される。また、内容器２０を開封する際にも当該係止下にあることから、シール材２３を安定して剥離することができる。
【００２６】
底蓋６０は、内面に本体４０の下部に形成された雄ネジ４２と螺合する雌ネジ６１ａが形成された周壁６１と、該周壁６１にヒンジ６２を介して開閉可能に連結された底蓋本体６３とを有し、底蓋本体６３をヒンジ６２を基点に開放することで、本体４０の下端開口を通じて使用済みの内容器２０を外容器３０内に再度装填することが可能に構成されている。なお、底蓋本体６３を開けて使用済みの内容器２０を装填するのに代えて、底蓋６０自体を取り外すことにより本体４０の下端開口を開放し、本体４０の下端開口を通じて使用済みの内容器２０を外容器３０内に再度装填するようにしてもよい。
【００２７】
また底蓋６０は、蓋体５０と同様に、周壁６１におけるヒンジ６２側の背面部に保持突起６４および底蓋本体６３におけるヒンジ６２側の背面部に凹部６５が形成され、底蓋本体６３の開放時に保持突起６４を凹部６５に嵌入することでその開放姿勢が保持されるよう構成されている。また、底蓋本体６３の、ヒンジ６２とは反対側の正面部には指掛け部６６が形成されている。さらに底蓋本体６３の上面には、蓋体５０および底蓋６０が外容器３０の本体４０に完全に装着された状態にて、最下段の内容器２０の鍔部２５に当接し、最上段の内容器２０の段部２６を連結壁５１Ｂに当接させる例えば環状の突出部６７が形成されている。これにより、外容器３０内での内容器２０のガタツキを防止することができる。突出部６７は、環状のものに限らず、鍔部２５に対応する位置で点在した突起でもよい。
【００２８】
図４に、本実施形態の分包容器１０の使用状態を示す。分包容器１０の初回使用時には、蓋体５０の開閉蓋５３を開放し、上側周壁５１Ｃの開口５４から最上段の内容器２０の頂部２２全体を露出させた後、頂部２２に貼り付けられたシール材２３（図２参照）を剥離、除去して該頂部２２に形成された吐出孔２２ａを開放する。そして、分包容器１０を図４に示すように傾けることで、頂部２２の吐出孔２２ａを通じて内容物を吐出することができる。
【００２９】
図５に、本実施形態の分包容器１０において、使用済みの内容器２０を入れ替える手順を示す。最上段の内容器２０の内容物を使い切った場合には、図中（１）に示すように、蓋体５０全体を本体４０から取り外して本体４０の上端開口を開放し、次いで図中（２）に示すように空になった最上段の内容器２０を本体４０の上端開口を通じて取り出す。次いで図中（３）に示すように底蓋６０の底蓋本体６３を開放し、取り出した内容器２０を下方から本体４０内に再挿入し、底蓋本体６３を閉めることにより、最上段の下側に位置する未開封の内容器２０が押し上げられる。その後、蓋体５０を本体４０に装着して蓋体５０の連結壁５１Ｂを内容器２０の段部２６に係止させることで内容器２０の入れ替えが完了する。そして、図４を参照して説明した手順と同様に、蓋体５０の開閉蓋５３を開放し、最上段の内容器２０の頂部２２に貼り付けられたシール材２３を剥離、除去して吐出孔２２ａを開放することで、入れ替えられた内容器２０内の内容物を吐出することができる。このように、内容器２０を入れ替える度に新しい吐出孔２２ａが出現するので、吐出孔２２ａへの内容物の堆積や固着を防止して、内容物をスムーズに吐出させることができる。
【００３０】
図６および図７を参照し、本発明の他の実施形態の分包容器１００について説明する。先の実施形態で説明した部材もしくは要素と同様の部材もしくは要素には同一の符号を付し、詳細な説明は適宜省略する。
【００３１】
本実施形態の分包容器１００は、外容器３００の本体４００が側部４００Ａと該側部４００Ａの下端を閉塞する底部４００Ｂとを有する有底筒状をなし、側部４００Ａが、複数の内容器２０の積み重ね方向（軸線方向Ｏ）で圧潰変形を促す蛇腹構造を有する。本体４００の上端部外面には、蓋体５０の雌ネジ５１ａと螺合する雄ネジ４１０が形成されている。本実施形態では、最上段の内容器２０内の内容物を消費した場合に、蓋体５０を取り外して空の内容器２０を取り出す点は同じであるが、その空の内容器２０を再度外容器３００内に装填せず、その代わりに、図７に示すように外容器３００の本体４００の側部４００Ａを圧潰変形させて、外容器３００の収容空間を外容器３００内に残存する内容器２０の占有体積に適合させるものである。この実施形態によれば、開口５４を通じて取り出した使用済みの内容器２０を再度装填する手間が省けるとともに、内容物が残っている内容器２０が幾つあるのかを外容器３００の外観（高さ）から一目で判別できるという利点がある。
【産業上の利用可能性】
【００３２】
本発明により、全ての内容器の内容物を使いきるまで内容物の吐出をスムーズに行い得る分包容器を提供することができる。
【符号の説明】
【００３３】
１０，１００  分包容器
２０  内容器
２１  側壁
２２  頂部
２２ａ  吐出孔
２３  シール材
２４  底シール材
２５  鍔部
２６  段部
３０，３００  外容器
４０，４００  本体
４００Ａ  側部
４００Ｂ  底部
５０  蓋体
５１  基部
５１Ａ  下側周壁
５１Ｂ  連結壁
５１Ｃ  上側周壁
５２  ヒンジ
５３  開閉蓋
５４  開口
５５  封止リング
６０  底蓋
６１  周壁
６２  ヒンジ
６３  底蓋本体
【図１】
2020033082.tif 000003
【図２】
2020033082.tif 000004
【図３】
2020033082.tif 000005
【図４】
2020033082.tif 000006
【図５】
2020033082.tif 000007
【図６】
2020033082.tif 000008
【図７】
2020033082.tif 000009